(57)【要約】【課題】トップ層と発泡層が一体に積層された積層シートから構成される装丁カバーのデザイン性を向上させる。【解決手段】トップ層１２と発泡層１４とのいずれか一方が装丁カバー１０の表面を、いずれか他方が装丁カバー１０の裏面を構成しており、発泡層１４とトップ層１２とがＬ＊ａ＊ｂ＊表色系で彩度が３０以上異なる色で着色されているか、または発泡層１４とトップ層１２とがＬ＊ａ＊ｂ＊表色系で色度指数ａ＊若しくは色度指数ｂ＊が６０以上異なる色で着色されているか、または発泡層１４がＬ＊ａ＊ｂ＊表色系で彩度が３０以上の色で着色される。【選択図】図１
0003149164.tif 000002
【実用新案登録請求の範囲】
【請求項１】
トップ層と発泡層が一体に積層された積層シートから構成される装丁カバーであって、
トップ層と発泡層とのいずれか一方が装丁カバーの表面を、いずれか他方が装丁カバーの裏面を構成しており、
発泡層とトップ層とがＬ＊ａ＊ｂ＊表色系で彩度が３０以上異なる色で着色されているか、または発泡層とトップ層とがＬ＊ａ＊ｂ＊表色系で色度指数ａ＊若しくは色度指数ｂ＊が６０以上異なる色で着色されているか、または発泡層がＬ＊ａ＊ｂ＊表色系で彩度が３０以上の色で着色されていることを特徴とする装丁カバー。
【請求項２】
前記トップ層の色と前記発泡層の色とが、Ｌ＊ａ＊ｂ＊表色系でその明度が３０以上異なることを特徴とする請求項１記載の装丁カバー。
【請求項３】
前記積層シートは、基層と、前記トップ層と、前記基層及び前記トップ層に挟まれた発泡剤入りシートを加熱して形成される前記発泡層と、からなる積層体から基層を除去したものからなることを特徴とする請求項１又は２記載の装丁カバー。
【請求項４】
前記トップ層及び前記発泡層のどちらの層も装丁カバーの表面として使用可能であることを特徴とする請求項１ないし３のいずれか１項に記載の装丁カバー。
【考案の詳細な説明】
【技術分野】
【０００１】
本考案は、書籍のカバー、バインダー、手帳若しくはダイアリの表紙等に使用される装丁カバーに関する。
【背景技術】
【０００２】
従来、書籍のカバー、バインダー、手帳若しくはダイアリの表紙等に使用される装丁カバーとして、表面を構成する表生地と裏面を構成する裏生地の２枚の生地を貼り合わせることにより構成されるものが知られている。
【０００３】
２枚の生地の貼り合わせの方法としては、接着、縫製、熱圧着などが用いられる。これらの装丁カバーは、表生地及び裏生地の２枚の生地を張り合わせるため、それぞれ所望の色の生地を用いることができ、好みのデザインのものとすることができる。しかし、２枚の生地を張り合わせるため、出来上がりの生地が厚くなるとともに、製造に手間がかかり、製造コストも高くなる。
【０００４】
一方、トップ層と発泡層とからなる積層シートで構成される装丁カバーも知られている。この積層シートの場合、一般的にはトップ層が装丁カバーの表面として、発泡層が装丁カバーの裏面として使用され、発泡層は裏面であるために、目立たないような色で着色されることが常識となっている。一般的に、トップ層は黒又はベージュ系の色が多く使用されるので、発泡層も同色の黒又はベージュ系か、トップ層が黒又はベージュ系以外の色に着色される場合には、発泡層もトップ層と同一の色か又は類似の色相の色に着色される。
【考案の開示】
【考案が解決しようとする課題】
【０００５】
しかしながら、従来のトップ層と発泡層とからなる積層シートで構成される装丁カバーでは、上述の通り裏面となる発泡層が目立たない色となっているため、デザイン性に乏しいという課題がある。
【０００６】
デザイン性を向上させるために裏面の発泡層にグラビア印刷を施すことが考えられるが、色ムラが発生し、外観が悪くなるとともに、製造工程数が増えるため、製造コストが高くなるという課題がある。
【０００７】
本考案は、かかる課題に鑑みなされたもので、製造コストを上げることなく、デザイン性を向上させた装丁カバーを提供することをその目的とする。
【課題を解決するための手段】
【０００８】
上記目的を達成するために、請求項１記載の考案は、トップ層と発泡層が一体に積層された積層シートから構成される装丁カバーであって、トップ層と発泡層とのいずれか一方が装丁カバーの表面を、いずれか他方が装丁カバーの裏面を構成しており、発泡層とトップ層とがＬ＊ａ＊ｂ＊表色系で彩度が３０以上異なる色で着色されているか、または発泡層とトップ層とがＬ＊ａ＊ｂ＊表色系で色度指数ａ＊若しくは色度指数ｂ＊が６０以上異なる色で着色されているか、または発泡層がＬ＊ａ＊ｂ＊表色系で彩度が３０以上の色で着色されていることを特徴とする。
【０００９】
請求項２記載の考案は、請求項１記載のものにおいて、前記トップ層の色と前記発泡層の色とが、Ｌ＊ａ＊ｂ＊表色系でその明度が３０以上異なることを特徴とする。
【００１０】
請求項３記載の考案は、請求項１又は２記載の前記積層シートが、基層と、前記トップ層と、前記基層及び前記トップ層に挟まれた発泡剤入りシートを加熱して形成される前記発泡層と、からなる積層体から基層を除去したものからなることを特徴とする。
【００１１】
請求項４記載の考案は、請求項１ないし３のいずれか１項に記載のものにおいて、前記トップ層及び前記発泡層のどちらの層も装丁カバーの表面として使用可能であることを特徴とする。
【考案の効果】
【００１２】
本考案によれば、発泡層とトップ層とがＬ＊ａ＊ｂ＊表色系で彩度が３０以上異なる色で着色されているか、または発泡層とトップ層とがＬ＊ａ＊ｂ＊表色系で色度指数ａ＊若しくは色度指数ｂ＊が６０以上異なる色で着色されているか、または発泡層がＬ＊ａ＊ｂ＊表色系で彩度が３０以上の色で着色されているために、発泡層自体を目立たせて、発泡層を裏面として用いた場合でも裏面にアクセントを持たせてデザイン性を向上させることができる。
【００１３】
また、発泡層にデザイン性が付与されているために、トップ層及び発泡層のいずれの層も表面として使用することができる。よって、装丁カバーをリバーシブルとすることも可能である。
【考案を実施するための最良の形態】
【００１４】
以下、図面を用いて本考案の実施の形態を説明する。
図１及び図２は本考案の実施形態に係る装丁カバーの斜視図である。
【００１５】
装丁カバー１０はトップ層１２と発泡層１４からなる一枚の積層シート２４から構成されており、トップ層１２が装丁カバー１０の表面を、発泡層１４が装丁カバー１０の裏面をそれぞれ構成している。図２に示すように、裏面の両端部には透明シートが高周波ウエルダにより溶着されて、袖ポケット１６を構成している。
【００１６】
トップ層１２及び発泡層１４は、ビニル系またはオレフィン系プラスチック材料を主原料として成形されるもので、含有される顔料等の着色剤によってそれぞれ着色されており、発泡層１４の色は、トップ層の色とＬ＊ａ＊ｂ＊表色系（図５参照）で彩度（√((ａ＊）２＋（ｂ＊）２)）が３０以上異なるか、またはトップ層の色とＬ＊ａ＊ｂ＊表色系で色度指数ａ＊若しくはｂ＊が６０以上異なる色で着色されているか、またはＬ＊ａ＊ｂ＊表色系で彩度が３０以上の色で着色されている。
【００１７】
さらに、トップ層１２の色と発泡層１４の色とが、Ｌ＊ａ＊ｂ＊表色系でその明度（Ｌ＊）が３０以上異なるとよい。
【００１８】
例えば、トップ層１２を黒色に着色した場合、発泡層１４は、彩度をトップ層１２と３０以上異ならせることによりまたは彩度を３０以上とすることにより、黒色やベージュ色以外の色となり、トップ層１２と比較して鮮やかな色にすることができる。
【００１９】
また、例えば、トップ層１２を黒色に着色した場合、発泡層１４は、明度をトップ層１２と３０以上異ならせることにより、黒色以外の明るい色にすることができる。
【００２０】
また、例えば、トップ層１２の色と発泡層１４の色の色度指数ａ＊若しくは色度指数ｂ＊を６０以上異ならせることにより、トップ層と発泡層との色の組み合わせとして、緑と赤、赤と緑、黄と青、青と黄といった斬新な組み合わせを選択することができる。
【００２１】
積層シート２４は、基層１８、トップ層１２、及び基層１８とトップ層１２とに挟まれた発泡剤入りシート２０からなる積層体２２（図３（ａ））を加熱して発泡して発泡層１４とした積層体２２（図３（ｂ））から基層１８を除去したもの（図３（ｃ））から構成される。
【００２２】
より具体的には、基層１８は、レーヨン、ナイロン、ポリエチレン、アクリル製の布、不織布、熱可塑性樹脂、熱硬化性樹脂等から成り、その厚みは０．１〜０．３ｍｍ、好適には０．２ｍｍである。
【００２３】
また、トップ層１２の厚みは０．１〜０．３ｍｍ、好適には０．１５ｍｍである。トップ層には、主原料のプラスチック材料の他、可塑剤、充填剤、安定剤、着色剤が適宜配合され、着色剤の配合比率は、２質量％〜３質量％とするとよい。
【００２４】
発泡剤入りシート２０は、約０．５５ｍｍの厚みを有する。発泡剤入りシートについても、主原料のプラスチック材料の他、可塑剤、充填剤、安定剤、着色剤が適宜配合された混合物からなるが、着色剤の配合比率は、４質量％以上、好ましくは、５〜７重量％とするとよく、上述の彩度または明度を満足するように適宜配合される。
【００２５】
基層１８の上に、発泡剤入りシート２０を構成する混合物を載せ、さらに、トップ層１２（トップ層１２は、その表面に印刷、シボ加工及び表面処理剤などを施し、予め表面を加工しておいてもよい）を載せてなる積層体２２を、図４に示すように、コンベヤ３１で搬送し、加熱オーブン３０に通していくと、発泡剤入りシート２０が発泡して発泡層１４が形成される。
【００２６】
発泡層１４の厚みは約１．１０ｍｍとなるため、三層の積層体２２としての厚みは、約１．４５ｍｍとなる。この後、図３（ｂ）に二点鎖線で示す部分である、基層１８と発泡層１４の一部の、合わせて約０．５ｍｍの厚み部分をスライスすることにより、図３（ｃ）に示すような、トップ層１２と発泡層１４により構成される積層シート２４が形成される。出来上がりの積層シート２４の厚さは約０．９５ｍｍとなる。これを装丁カバーの形状に切り抜くとよい。
【００２７】
こうして、表裏両面の色がかなり異なるものとなった１枚の積層シート２４を形成することができ、装丁カバーのデザイン性を向上させることができる。
【００２８】
図１に示すように、トップ層１２が装丁カバー１０の表面を、発泡層１４が装丁カバー１０の裏面を構成している場合、裏面は、側方等からまたは装丁カバーを開いたときなど使用中に僅かに見えることになるが、裏面を構成する発泡層１４に彩度または明度の高いものを配色することで、アクセントを持たせてデザイン性を向上させることができる。
【００２９】
また、発泡層１４のデザイン性が向上したことにより、従来、専ら装丁カバーの裏面として使用されてきた発泡層１４を装丁カバーの表面として使用することも可能になる。即ち、前記トップ層１２及び前記発泡層１４のどちらかを選択的に装丁カバー１０の表面とすることにより同じ積層シート２４から２種類の製品を製造することができる。
【００３０】
または、１つの積層シート２４から構成される装丁カバーをリバーシブル製品とすることもできる。リバーシブル製品として使用する場合には、トップ層１２及び発泡層１４の両方に透明シートからなる袖ポケット１６を設けてもよい。
【図面の簡単な説明】
【００３１】
【図１】本考案の実施形態に係る装丁カバーの斜視図である。
【図２】図１の装丁カバーを展開して裏面側から見た斜視図である。
【図３】（ａ）は本考案の実施形態に係る積層シートを構成するための積層体の発泡前の状態を示す断面図、（ｂ）はその発泡後の積層体の状態を示す断面図、（ｃ）は積層体から基層及び発泡層の一部を切除した状態を示す断面図である。
【図４】積層体を発泡させる工程を示す側面図である。
【図５】Ｌ＊ａ＊ｂ＊表色系の色度指数、彩度と明度との関係を表す説明図である。
【符号の説明】
【００３２】
１０  装丁カバー
１２  トップ層
１４  発泡層
２４  積層シート
【図１】
0003149164.tif 000003
【図２】
0003149164.tif 000004
【図３】
0003149164.tif 000005
【図４】
0003149164.tif 000006
【図５】
0003149164.tif 000007